(57)【要約】【課題】    回転作業盤の作業物体を容易に所定量傾斜させる作業台を提供すること。【解決手段】  球体２ａによって基台１に対して作業盤３を傾斜させて作業盤３上の作業物を容易に傾斜させられる構造とした。【選択図】    図１
0003107955.tif 000002
【実用新案登録請求の範囲】
【請求項１】
地上に載置される基台に対して一端が揺動自在に支持された支承体の他端に回転可能に作業盤を設け、該作業盤を複数の傾斜位置にして前記基台に対して固定する保持装置を設けたことを特徴とする作業台。
【請求項２】
前記基台を、調整装置を備えた基板と該基板に対して回転可能に支承された基体とから構成したことを特徴とする請求項２記載の作業台。
【考案の詳細な説明】
【技術分野】
【０００１】  本考案は回転作業台の作業性改善構造に関する。
【背景技術】
【０００２】  従来の回転作業台にあっては回転する台と台上の作業物体との間に楔を挿入するなどして、作業物体を傾斜させるようにしていた。
【考案の開示】
【考案が解決しようとする課題】
【０００３】  回転作業台の上に載置された作業物体の角度を変えて作業する毎に楔を挿入するために作業が面倒であった。
【課題を解決する為の手段】
【０００４】  請求項１記載の考案にあっては、地上に載置される基台に対して一端が揺動自在に支持された支承体の他端に回転可能に作業盤を設け、該作業盤を複数の傾斜位置にて前記基台に対して固定する保持装置を設けたことを特徴とする。
【０００５】  請求項２記載の考案にあっては、請求項１記載の基台を、調整装置を備えた基板と該基板に対して回転可能に支承された基体とから構成したことを特徴とする
【考案の効果】
【０００６】  請求項１記載の考案にあっては、作業盤を円周方向に回転させ所定の位置で止めて保持装置によって固定し、その位置で作業盤を下方に押して作業盤全体を傾斜させ作業物体を傾斜させることが出来る。
【０００７】  請求項２記載の考案にあっては、基体を基板に対して回転させることによって作業盤を傾斜させた状態のままで回転させることとなり作業台の全ての円周方向から傾斜状態の作業物体を視認あるいは観賞することが出来る。
【考案を実施するための最良の形態】
【０００８】  基板上にキャップを固設した基台を球体を介して回転可能とし、この基台上に揺動自在な支承体、支持蓋及び揺動を固定する為のフリクションボルトを設けこの支承体の先端部に鋼球を介して回転可能とした作業盤を設置する。支承体と基台に固設されたキャップにスプリングリテーナーを夫々固設しその間に引張バネを張設する。尚、基板に取付けられたキャスターにより作業台は容易に移動可能。
【実施例】
【０００９】  図１は本考案の作業台の正面の断面図である。
図１において、１は基台で外周側４箇所に板厚方向に貫通して設けられたボルト１ａによって地面や床面（請求項記載の地上に対応する）に対して水平調整が可能な基板１ｂと、該基板１ｂ上に回転可能に支持された基体１ｃからなっている。【００１０】  前記基板１ｂの上面には基板シート１ｄが貼着され、前記基体１ｃは該基板シート１ｄを介して基板１ｂ上に支持される。また、中心部にはこれら基板１ｂ、基板シート１ｄを貫通する中心孔１ｅが設けられている。さらに基板１ｂの下面にはキャスター１ｆが４個所設けられている。【００１１】  前記基体１ｃの中心部下面には前記中心孔１ｅに同心に対峙して凹部１ｇが設けられ、キャップ１ｈが基板１ｃ側から中心孔１ｅを貫通して１ｇに嵌め合いし、ボルト１ｊにて基体１ｃに固設されている。かくして基体１ｃは基板１ｂに対して回転可能に支持される。
尚、１ｋは基体１ｃの回転止めのボルトである。【００１２】  また前記基体１ｃの外周部下面には周方向８箇所の円弧状の収容溝１ｍが形成されており、各収容溝１ｍには数個の鋼球１ｎが収容され該鋼球１ｎを介して基体１ｃは前記基板シート１ｄ上に支持される。
尚、１１は溝の磨耗を防止する為の鋼板である。
但し、収容溝は８箇所より多くても少なく設けても構わない。【００１３】  前記基体１ｃの上部には支持蓋１ｐがボルト１ｑにて固設され、その中心部の貫通孔の内周面は上向きに開の球面座１ｒが形成されている。さらに球面座１ｒより上部には外周からフリクションボルト１ｓが周方向３箇所に螺合されている。
尚、１ｔは前記支持蓋１ｐの開口部を覆うカバーである。【００１４】  ２は支承体で、該支承体２は基台１の球面座１ｒに揺動自在に支持された球体２ａ及び該球体２ａの上部から突出し先端部にフランジ２ｂとを備えた支軸２ｃと、該フランジ２ｂに中心部がボルト２ｄにて固定された支持盤２ｅとからなる。【００１５】  該支持盤２ｅの外周部上面には前記基体１ｃと同様に収容溝２ｆが形成され鋼球２ｇが収容されている。また外周面には環状の切欠き凹部２ｈが形成される。【００１６】  ３は作業盤で下面が前記鋼球２ｇを介して支持盤２ｅ上に支持され、内周面が支持盤２ｅの外周面に嵌め合い支持されるアルミ製の円盤３ａと、該アルミ円盤３ａ上に貼着された塩化ビニール製のシート３ｂとからなる。
尚、３３は溝の磨耗を防止する為の鋼板である。【００１７】  前記円盤３ａの外周からは前記支持盤２ｅの切欠き凹部２ｈに臨む位置に保持ボルト３ｃが設けられている。尚、３ｄは水準器である。【００１８】  前記球体２ａの下端部と前記キャップ１ｈの底面には相対峙して自動調心可能なスプリングリテーナー４が固設されその間に引張バネ５が張設されている。
【産業上の利用可能性】
【００１９】  作業物体、例えば盆栽を作業盤３上に載置し整形手入れ作業をするとき、盆栽を異なる方向から、見ながら全体を整形していく。【００２０】  本実施例にあっては、作業盤３を滑らかに回転させる鋼球２ｇは円周方向に分断された円弧状の収容溝２ｆ内に収容されている為適当な回転抵抗を受け、所望の回転位置に容易に移動させられる。【００２１】  作業盤３を所望の位置で止めたら、保持ボルト３ｃをねじ込み先端部を切欠き凹部２ｈ内に嵌入させて固定する。【００２２】  次に、作業盤３を所定量押し上げたり、押し下げたりすると、球面座１ｒに支持された球体２ａが引張バネ５によって球面座１ｒに適度に押し付けられているので、適度な摩擦力によって所望の角度に作業盤３を滑らかな動作で傾斜させられる。【００２３】  作業盤３が傾斜したら、フリクションボルト１ｓを締め込み作業盤３を傾斜位置に固定させ、盆栽の整形作業をする。【００２４】  次に、ボルト１ｋを緩めると作業盤３と同様に基台１ｃを回転させられる。これによって盆栽を好ましい傾斜角で、円周方向全ての方向から観察できる。【００２５】  さらに、ボルト１ａを緩めると、キャスター１ｆが接地し、作業台全体が容易に移動できる。
【図面の簡単な説明】
【００２６】
【図１】本考案の構成要素を示した正面の断面図である。
【符号の説明】
【００２７】１        基台
１ｂ      基板
１ｃ      基体
２        支承体
３        作業盤
【図１】
0003107955.tif 000003
【手続補正書】
【提出日】平成16年10月28日(2004.10.28)
【手続補正１】
【補正対象書類名】実用新案登録請求の範囲
【補正対象項目名】請求項２
【補正方法】変更
【補正の内容】
【請求項２】
前記基台を、調整装置を備えた基板と該基板に対して回転可能に支承された基体とから構成したことを特徴とする請求項１記載の作業台。